【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
複数個に区分された周波数帯域上のチャネルを１個または複数個利用してデータキャリアとの間で無線によるデータ通信を行なう無線通信装置であって、
データキャリアとの無線通信の前に、所定範囲の連続したチャネル群において、チャネル単位で測定された受信電力強度に基づいて、周波数帯域が連続した奇数個の空きチャネルを検索し、
検索によって抽出された前記の奇数個の連続した空きチャネル全体の周波数帯域幅が広いほど大きな通信速度に設定して、データキャリアとの通信を開始することを特徴とする無線通信装置。
【請求項２】
データキャリアとの無線通信の前に、所定範囲の連続したチャネル群において、チャネル単位で測定された受信電力強度に基づいて、第１の閾値以下の受信電力強度である空きチャネルを検索して１つの空きチャネルを抽出し、
抽出した前記１つの空きチャネルの高周波数側に隣接したチャネルの受信電力強度と、抽出した前記１つの空きチャネルの低周波数側に隣接したチャネルの受信電力強度が、共に前記の第１の閾値よりも大なる第２の閾値以下である場合に、連続した奇数個の空きチャネルとすることを特徴とする請求項１に記載の無線通信装置。
【請求項３】
複数個に区分された周波数帯域上のチャネルを１個または複数個利用してデータキャリアとの間で無線によるデータ通信を行なう無線通信装置であって、
データキャリアとの無線通信の前に、所定範囲の連続したチャネル群において、チャネル単位で測定された受信電力強度に基づいて、第１の閾値以下の受信電力強度である空きチャネルを検索し、
前記の空きチャネルの検索の度にチャネル単位の受信電力強度データを蓄積し、空きチャネルの探索時に過去の受信電力強度に基づいて空きチャネル状況を推定して通信速度を設定することを特徴とする無線通信装置。
【請求項４】
請求項１〜３いずれか１項に記載の無線通信装置と、該無線通信装置とデータ通信可能なデータキャリアとからなることを特徴とする無線通信システム。
【請求項５】
複数個に区分された周波数帯域上のチャネルを１個または複数個利用してデータキャリアとの間で無線によるデータ通信を行なう無線通信方法であって、
データキャリアとの無線通信の前に、所定範囲の連続したチャネル群において、チャネル単位で測定された受信電力強度に基づいて、周波数帯域が連続した奇数個の空きチャネルを検索する検索工程と、
前記検索工程によって抽出された前記の奇数個の連続した空きチャネル全体の周波数帯域幅が広いほど大きな通信速度に設定する設定工程と、を有し、
前記設定工程により設定した通信速度により、前記データキャリアとの通信を開始することを特徴とする無線通信方法。
【請求項６】
前記検索工程は、
データキャリアとの無線通信の前に、所定範囲の連続したチャネル群において、チャネル単位で測定された受信電力強度に基づいて、第１の閾値以下の受信電力強度である空きチャネルを検索して１つの空きチャネルを抽出し、
抽出した前記１つの空きチャネルに高周波数側で隣接したチャネルと低周波数側で隣接したチャネルの両者での受信電力強度が、前記の第１の閾値よりも大なる第２の閾値以下である場合に、連続した奇数個の空きチャネルとして検索することを特徴とする請求項５に記載の無線通信方法。
【請求項７】
複数個に区分された周波数帯域上のチャネルを１個または複数個利用してデータキャリアとの間で無線によるデータ通信を行なう無線通信方法であって、
データキャリアとの無線通信の前に、所定範囲の連続したチャネル群において、チャネル単位で測定された受信電力強度に基づいて、第１の閾値以下の受信電力強度である空きチャネルを検索する空きチャネル検索工程と、
空きチャネルの検索の度にチャネル単位の受信電力強度データを蓄積する蓄積工程と、
空きチャネルの探索時に過去の受信電力強度に基づいて空きチャネル状況を推定して通信速度を設定する通信速度設定工程と、を有し、
前記通信速度設定工程により設定した通信速度により、前記データキャリアとの通信を開始することを特徴とする無線通信方法。
【手続補正２】
【補正対象書類名】明細書
【補正対象項目名】発明の名称
【補正方法】変更
【補正の内容】
【発明の名称】無線通信装置、無線通信システム及び無線通信方法
【手続補正３】
【補正対象書類名】明細書
【補正対象項目名】０００１
【補正方法】変更
【補正の内容】
【０００１】
本発明は無線でデータ通信を行う無線通信装置、無線通信システム及び無線通信方法に関する。
【手続補正４】
【補正対象書類名】明細書
【補正対象項目名】０００８
【補正方法】変更
【補正の内容】
【０００８】
本発明はチャネル評価方法の工夫により総通信量を増大させるためになされたものである。すなわち、キャリアセンス機能を有する無線通信装置及び無線通信システム、キャリアセンスを行う無線通信方法において、空きチャネルの検索時に隣接チャネルの干渉波の影響を考慮して使用チャネルを選択し、かつ選択した使用チャネルについて最適な通信速度で通信を行うことによって、無線通信装置とデータキャリアとの間の通信効率を向上させることを目的とする。
【手続補正５】
【補正対象書類名】明細書
【補正対象項目名】００１２
【補正方法】変更
【補正の内容】
【００１２】
本発明の無線通信装置は、特に高出力型ＵＨＦ帯や低出力型ＵＨＦ帯のリーダライタのような、キャリアセンスによる混信防止対策が必要なＲＦＩＤシステムに使用されるリーダライタに好適に適用できる。
本発明の無線通信システムは、前記いずれかに記載の無線通信装置と、該無線通信装置とデータ通信可能なデータキャリアとからなることを特徴とする。
また、本発明は、複数個に区分された周波数帯域上のチャネルを１個または複数個利用してデータキャリアとの間で無線によるデータ通信を行なう無線通信方法であって、データキャリアとの無線通信の前に、所定範囲の連続したチャネル群において、チャネル単位で測定された受信電力強度に基づいて、周波数帯域が連続した奇数個の空きチャネルを検索する検索工程と、前記検索工程によって抽出された前記の奇数個の連続した空きチャネル全体の周波数帯域幅が広いほど大きな通信速度に設定する設定工程と、を有し、前記設定工程により設定した通信速度により、前記データキャリアとの通信を開始することを特徴とする。
前記検索工程は、データキャリアとの無線通信の前に、所定範囲の連続したチャネル群において、チャネル単位で測定された受信電力強度に基づいて、第１の閾値以下の受信電力強度である空きチャネルを検索して１つの空きチャネルを抽出し、抽出した前記１つの空きチャネルに高周波数側で隣接したチャネルと低周波数側で隣接したチャネルの両者での受信電力強度が、前記の第１の閾値よりも大なる第２の閾値以下である場合に、連続した奇数個の空きチャネルとして検索するようにしてもよい。
また、本発明は、複数個に区分された周波数帯域上のチャネルを１個または複数個利用してデータキャリアとの間で無線によるデータ通信を行なう無線通信方法であって、データキャリアとの無線通信の前に、所定範囲の連続したチャネル群において、チャネル単位で測定された受信電力強度に基づいて、第１の閾値以下の受信電力強度である空きチャネルを検索する空きチャネル検索工程と、空きチャネルの検索の度にチャネル単位の受信電力強度データを蓄積する蓄積工程と、空きチャネルの探索時に過去の受信電力強度に基づいて空きチャネル状況を推定して通信速度を設定する通信速度設定工程と、を有し、前記通信速度設定工程により設定した通信速度により、前記データキャリアとの通信を開始することを特徴とする。
【手続補正６】
【補正対象書類名】明細書
【補正対象項目名】００１３
【補正方法】変更
【補正の内容】
【００１３】
本発明の無線通信装置、無線通信システム及び無線通信方法によれば、キャリアセンス時に検索された空きチャネルの中から使用チャネルを選択する際に、隣接チャネルの空き状況に応じて使用チャネルを選択するようにした。また、選択した使用チャネルでの通信速度を隣接チャネルの使用状況に応じて通信可能な最大速度に設定して通信するようにした。このため、空きチャネルが多い場合には高速で通信し、空きチャネルが少ない場合には低速で通信することによって、隣接チャネルの電波干渉による通信エラーや通信時間の増大などの影響を抑えることができる。また、固定でのチャネル選択方式に比べて大幅に通信効率を高めることが可能になる。